(57)【要約】【課題】ＩＣチップを容易かつ迅速に接続することができるコイルアンテナ、コイルタグ及びコイルアンテナの製造方法を提供すること。【解決手段】導線４が巻回されてなる巻回部３と、この巻回部３の内方に延ばされた前記導線４の巻き始め線部６と、前記巻回部３の内方に延ばされた前記導線４の巻き終わり線部７と、を備え、前記巻き始め線部６及び前記巻き終わり線部７の基端Ｋから先端Ｓに到るまでの少なくとも二点において、前記巻き始め線部６と前記巻き終わり線部７との間隔寸法が異なっていることを特徴とする。【選択図】図１
2007274382.tif 000002
【特許請求の範囲】
【請求項１】
導線が巻回されてなる巻回部と、
この巻回部の内方に延ばされた前記導線の巻き始め線部と、
前記巻回部の内方に延ばされた前記導線の巻き終わり線部と、を備え、
前記巻き始め線部及び前記巻き終わり線部の基端から先端に到るまでの少なくとも二点において、前記巻き始め線部と前記巻き終わり線部との間隔寸法が異なっていることを特徴とするコイルアンテナ。
【請求項２】
前記巻き始め線部と前記巻き終わり線部との少なくともいずれか一方の先端が、前記巻回部に固定されていることを特徴とする請求項１に記載のコイルアンテナ。
【請求項３】
前記巻き始め線部と前記巻き終わり線部とが、互いに弓状に配されていることを特徴とする請求項１又は請求項２に記載のコイルアンテナ。
【請求項４】
前記巻き始め線部と前記巻き終わり線部とが、互いに交差して配されていることを特徴とする請求項１又は請求項２に記載のコイルアンテナ。
【請求項５】
前記巻き始め線部と前記巻き終わり線部とが、Ｖ字状に配されていることを特徴とする請求項１又は請求項２に記載のコイルアンテナ。
【請求項６】
導線が巻回されてなる巻回部と、この巻回部の内側に延ばされた前記導線の巻き始め線部と、前記巻回部の内側に延ばされた前記導線の巻き終わり線部と、を有するコイルアンテナを備え、
前記巻き始め線部及び前記巻き終わり線部の基端から先端に到るまでの少なくとも二点において、前記巻き始め線部と前記巻き終わり線部との間隔寸法が異なるようにして形成され、
前記巻き始め線部と前記巻き終わり線部とにＩＣチップが接続されてなることを特徴とするコイルタグ。
【請求項７】
導線を巻回して巻回部を形成し、
前記導線の巻き始め線部と巻き終わり線部とを前記巻回部の内方に延ばし、
前記巻き始め線部及び前記巻き終わり線部の基端から先端に到るまでの少なくとも二点において、前記巻き始め線部と前記巻き終わり線部との間隔寸法が異なるように、前記巻き始め線部と前記巻き終わり線部とを配することを特徴とするコイルアンテナの製造方法。
【発明の詳細な説明】
【技術分野】
【０００１】
本発明は、コイルアンテナ、コイルタグ及びコイルアンテナの製造方法に関する。
【背景技術】
【０００２】
今日、例えば薬品のラベルなどの物品に設けられて、非接触で情報が読み書きされる種々のコイルタグが利用されている（例えば、特許文献１参照。）。
これらコイルタグの中には、図１２に示すように、導線が巻回されてなる巻回部１０１を有するコイルアンテナ１００を備えているものがある。
このコイルアンテナ１００は、導線の巻き始め線部１０３と巻き終わり線部１０４とが、巻回部１０１の内方に向けて互いに平行に延ばされ、これら巻き始め線部１０３と巻き終わり線部１０４との先端部にＩＣチップ１０５が設けられるようになっている。
【特許文献１】特開２０００−３３１１３６号公報
【発明の開示】
【発明が解決しようとする課題】
【０００３】
しかしながら、上記のようなコイルアンテナでは、巻き始め線部と巻き終わり線部との間隔寸法が、ＩＣチップの接続端子の間隔寸法と一致していない場合、それら巻き始め線部と巻き終わり線部との間隔寸法を調整しなければならない。そのため、ＩＣチップの接続が困難になり、作業性が低下するという問題がある。特に、コイルタグの小型化と、ＩＣチップ製造単価低減の要請により、ＩＣチップの一辺長が１ｍｍ以下の極小サイズのものも製造されており、顕微鏡観察下における接続作業が要求される今日においては上記の問題が顕著となっている。
【０００４】
本発明は、このような事情に鑑みてなされたものであって、ＩＣチップを容易かつ迅速に接続することができるコイルアンテナ、コイルタグ及びコイルアンテナの製造方法を提供することを目的とする。
【課題を解決するための手段】
【０００５】
上記課題を解決するために、本発明は以下の手段を提供する。
本発明に係るコイルアンテナは、導線が巻回されてなる巻回部と、この巻回部の内方に延ばされた前記導線の巻き始め線部と、前記巻回部の内方に延ばされた前記導線の巻き終わり線部と、を備え、前記巻き始め線部及び前記巻き終わり線部の基端から先端に到るまでの少なくとも二点において、前記巻き始め線部と前記巻き終わり線部との間隔寸法が異なっていることを特徴とする。
【０００６】
また、本発明に係るコイルアンテナは、前記巻き始め線部と前記巻き終わり線部との少なくともいずれか一方の先端が、前記巻回部に固定されていることを特徴とする。
【０００７】
また、本発明に係るコイルアンテナは、前記巻き始め線部と前記巻き終わり線部とが、互いに弓状に配されていることを特徴とする。
【０００８】
また、本発明に係るコイルアンテナは、前記巻き始め線部と前記巻き終わり線部とが、互いに交差して配されていることを特徴とする。
【０００９】
また、本発明に係るコイルアンテナは、前記巻き始め線部と前記巻き終わり線部とが、Ｖ字状に配されていることを特徴とする。
【００１０】
また、本発明に係るコイルタグは、導線が巻回されてなる巻回部と、この巻回部の内側に延ばされた前記導線の巻き始め線部と、前記巻回部の内側に延ばされた前記導線の巻き終わり線部と、を有するコイルアンテナを備え、前記巻き始め線部及び前記巻き終わり線部の基端から先端に到るまでの少なくとも二点において、前記巻き始め線部と前記巻き終わり線部との間隔寸法が異なるようにして形成され、前記巻き始め線部と前記巻き終わり線部とにＩＣチップが接続されてなることを特徴とする。
【００１１】
また、本発明に係るコイルアンテナの製造方法は、導線を巻回して巻回部を形成し、前記導線の巻き始め線部と巻き終わり線部とを前記巻回部の内方に延ばし、前記巻き始め線部及び前記巻き終わり線部の基端から先端に到るまでの少なくとも二点において、前記巻き始め線部と前記巻き終わり線部との間隔寸法が異なるように、前記巻き始め線部と前記巻き終わり線部とを配することを特徴とする。
【発明の効果】
【００１２】
請求項１に係る発明によれば、巻き始め線部及び巻き終わり線部の基端から先端に到るまでの少なくとも二点において、巻き始め線部と巻き終わり線部との間隔寸法が異なっていることから、巻き始め線部及び巻き終わり線部に沿ってＩＣチップをずらしていくだけで、巻き始め線部と巻き終わり線部との間隔と、ＩＣチップの接続端子間の間隔とを容易に一致させることができ、ＩＣチップを容易かつ迅速に接続することができる。
請求項２に係る発明によれば、巻き始め線部と巻き終わり線部との少なくともいずれか一方の先端が巻回部に固定されていることから、巻き始め線部及び巻き終わり線部を安定的に保持することができ、巻き始め線部及び巻き終わり線部のふら付きを防止することができる。
【００１３】
請求項３に係る発明によれば、巻き始め線部と巻き終わり線部とが、互いに弓状に配されていることから、巻き始め線部と巻き終わり線部との間隔寸法のより小さい、巻回部の中心点の付近でＩＣチップを接続することができ、接続作業性を向上させることができる。
請求項４に係る発明によれば、巻き始め線部と巻き終わり線部とが、互いに交差して配されていることから、巻き始め線部と巻き終わり線部との間隔寸法を交点においてゼロにすることができ、交点近傍の巻き始め線部と巻き終わり線部との間隔寸法を極小にすることができる。
請求項５に係る発明によれば、巻き始め線部と巻き終わり線部とが、Ｖ字状に配されていることから、交点近傍の巻き始め線部と巻き終わり線部との間隔寸法を極小にすることができる。
【００１４】
請求項６に係る発明によれば、巻き始め線部及び巻き終わり線部の基端から先端に到るまでの少なくとも二点において、巻き始め線部と巻き終わり線部との間隔寸法が異なるようにして形成され、巻き始め線部と巻き終わり線部とにＩＣチップが接続されてなることから、巻き始め線部及び巻き終わり線部に沿ってＩＣチップをずらしていくだけで、巻き始め線部と巻き終わり線部との間隔と、ＩＣチップの接続端子間の間隔とを容易に一致させることができ、ＩＣチップを容易かつ迅速に接続することができる。
【００１５】
請求項７に係る発明によれば、巻き始め線部及び巻き終わり線部の基端から先端に到るまでの少なくとも二点において、巻き始め線部と巻き終わり線部との間隔寸法が異なるように、巻き始め線部と巻き終わり線部とを配することから、巻き始め線部及び巻き終わり線部に沿ってＩＣチップをずらしていくだけで、巻き始め線部と巻き終わり線部との間隔と、ＩＣチップの接続端子間の間隔とを容易に一致させることができ、ＩＣチップを容易かつ迅速に接続することができるコイルアンテナを得ることができる。
【発明を実施するための最良の形態】
【００１６】
（実施形態１）
以下、本発明の第１の実施形態におけるコイルタグについて、図面を参照して説明する。
図１は、コイルタグを示す平面図である。
コイルタグ１は、導線４が巻回されてなる巻回部３を備えている。
巻回部３は、円状に形成されており、導線４に設けられた被覆に加熱処理を施すことにより熱溶着されている。
【００１７】
また、巻回部３の内方の領域には、導線４の巻き始め部分である巻き始め線部６と、巻き終わり部分である巻き終わり線部７とが延ばされている。なお、内方の領域とは、導線４によって囲まれた（区画された）領域をいう。
巻き始め線部６と巻き終わり線部７とは、巻回部３の中心点Ｃを挟んで対向するようにして配されている。また、巻き始め線部６及び巻き終わり線部７は、互いに内向きに弓状にして配されている。
すなわち、巻き始め線部６と巻き終わり線部７とは、互いに非平行に配されている。換言すると以下のようになる。巻き始め線部６及び巻き終わり線部７の基端Ｋから先端Ｓに到るまでの一点Ｐ１における巻き始め線部６と巻き終わり線部７との間隔寸法ｄ１が、先端Ｋから先端Ｓに到るまでの少なくとも他点Ｐ２における巻き始め線部６と巻き終わり線部７との間隔寸法ｄ２よりも大きく設定されている。つまり、間隔寸法ｄ１と間隔寸法ｄ２とが異なるように設定されている。間隔寸法ｄ１，ｄ２は、巻き始め線部６と巻き終わり線部７との間の最短距離を示すものである。
【００１８】
また、非平行について、巻き始め線部６と巻き終わり線部７との間に均等間隔で配される仮想軸線Ｌによって説明すると以下のようになる。すなわち、仮想軸線Ｌの長さ方向の一点Ｐ１´において、仮想軸線Ｌに直交する方向の巻き始め線部６と巻き終わり線部７との間隔寸法がｄ１となり、仮想軸線Ｌの長さ方向の他点Ｐ２´において、仮想軸線Ｌに直交する方向の巻き始め線部６と巻き終わり線部７との間隔寸法がｄ２となる。そして、巻き始め線部６と巻き終わり線部７とは、これら間隔寸法ｄ１と間隔寸法ｄ２とが異なるようにして形成されている。つまり、仮想軸線Ｌの長さ方向の少なくとも２点において、巻き始め線部６と巻き終わり線部７との間隔寸法が異なるように設定されている。
【００１９】
巻き始め線部６及び巻き終わり線部７の基端部は、巻回部３の周方向の一部に接着剤により固定されている。これら固定された部分が、基端固定部１４となる。さらに、巻き始め線部６及び巻き終わり線部７の先端部は、それらの基端部に対して、巻回部３のうちの中心点Ｃを挟んで反対側に接着剤により固定されている。これら固定された部分が先端固定部１５となる。
このような非平行に配された巻き始め線部６と巻き終わり線部７とに、ＩＣチップ１０が電気的に接続されている。
【００２０】
ＩＣチップ１０には、一対の接続端子１１が対向して設けられており、これら一対の接続端子１１のそれぞれに、巻き始め線部６又は巻き終わり線部７が、はんだ付けされている。すなわち、接続端子１１の間隔寸法ｄ３と、巻き始め線部６と巻き終わり線部７との間隔寸法とが一致する位置に、ＩＣチップ１０が固定されている。
【００２１】
次に、このように構成された本実施形態におけるコイルタグ１の製造方法について説明する。
まず、図２に示すように、一対の巻回用治具の一方（一方の巻回用治具１８ａ）に、内側から外側に向けて導線４を引っ掛ける。このときの巻回用治具１８ａに引っ掛けた導線４のうちの内側に配された端部が、巻き始め線部６となる。そして、巻回用治具１８ａを中心として、外側の導線４を巻き返す。それから、図３に示すように、外側の導線４を円弧状に延ばしながら巻回用治具の他方（他方の巻回用治具１８ｂ）にまで配する。さらに、一方の巻回用治具１８ａ及び他方の巻回用治具１８ｂに引っ掛けながら、中心点Ｃを中心として、所定回分だけ導線４を巻回していく。このときの巻回された部分が巻回部３となる。そして、所定回分、導線４を巻回した後、巻回用治具１８ｂの外側から内側に導線４を巻き返す。
【００２２】
そして、このように巻き回した状態の導線４を巻回用治具から取り外し、導線４に熱処理を施して被覆を溶解させることにより、巻回された部分を熱溶着する。
次いで、図４に示すように、巻回部３の内方に、導線４の両端部を延ばして互いに弓状に配する。この状態で、巻き始め線部６及び巻き終わり線部７の先端部と基端部とを接着剤で巻回部３に固定し、それぞれ基端固定部１４及び先端固定部１５とする。それから、導線４の先端（巻回部３の外方に延びる部分）をカットする。
これにより、図５に示すように、巻き始め線部６と巻き終わり線部７とが互いに非平行に配されたコイルアンテナ２が得られる。
【００２３】
それから、図６に示すように、巻き始め線部６と巻き終わり線部７とに、接続端子１１をはんだ付けして、ＩＣチップ１０を電気的に接続する。
これにより、コイルタグ１が得られる。
【００２４】
ここで、従来のように、巻き始め線部６と巻き終わり線部７とを平行に配していると、接続端子１１の間隔寸法ｄ３と、巻き始め線部６と巻き終わり線部７との間隔寸法とが一致していない場合、巻き始め線部６と巻き終わり線部７との間隔寸法を調整する必要があった。特に、巻き始め線部６及び巻き終わり線部７の先端部と基端部とを巻回部３に固定してしまうと、巻き始め線部６と巻き終わり線部７との間隔寸法を調整することはできなかった。
【００２５】
本発明に係るコイルタグ１によれば、以下のようにしてＩＣチップ１０が接続される。
すなわち、ＩＣチップ１０を巻回部３の中心点Ｃ上に配する。このとき、接続端子１１の間隔寸法ｄ３と、巻き始め線部６と巻き終わり線部７との間隔寸法とが一致している場合には、その状態ではんだ付けが行われる。
一方、一致していない場合には、巻き始め線部６及び巻き終わり線部７上（仮想軸線Ｌ上）にＩＣチップ１０を移動させる。巻き始め線部６と巻き終わり線部７とは非平行に配されていることから、仮想軸線Ｌ上における巻き始め線部６と巻き終わり線部７との間隔寸法は、巻き始め線部６及び巻き終わり線部７上（仮想軸線Ｌ上）の点によって異なることになる。そこで、巻き始め線部６及び巻き終わり線部７上（仮想軸線Ｌ上）にＩＣチップ１０を移動させて、接続端子１１の間隔寸法ｄ３と、巻き始め線部６と巻き終わり線部７との間隔寸法とが一致する位置にＩＣチップ１０を配する。そして、それら一致した点において、接続端子１１をはんだ付けして、ＩＣチップ１０を接続する。
【００２６】
以上より、本実施形態におけるコイルタグ１によれば、巻き始め線部６と巻き終わり線部７とが非平行に配されていることから、巻き始め線部６及び巻き終わり線部７上（仮想軸線Ｌ上）にＩＣチップ１０をスライドさせるだけで、接続端子１１の間隔寸法ｄ３と、巻き始め線部６と巻き終わり線部７との間隔寸法とを一致させることができる。そのため、ＩＣチップ１０をコイルアンテナ２に容易かつ迅速に接続することができ、コイルタグ１の収率を向上させることができる。
【００２７】
また、巻き始め線部６と巻き終わり線部７との先端部が巻回部３に固定されていることから、巻き始め線部６及び巻き終わり線部７を安定的に保持することができ、巻き始め線部６及び巻き終わり線部７のふら付きを防止することができる。そのため、ＩＣチップ１０をさらに容易に接続することができるだけでなく、ＩＣチップ１０の接続後においてコイルタグ１の扱いを容易にすることができる。
【００２８】
さらに、巻き始め線部６と巻き終わり線部７とが、弓状に配されていることから、巻き始め線部６と巻き終わり線部７との間隔寸法のより小さい中心点Ｃの付近でＩＣチップ１０を接続することができ、接続作業性を向上させることができる。
なお、巻き始め線部６と巻き終わり線部７との間隔寸法は、最小で０．１ｍｍとし、最大で５ｍｍとすることが好ましい。これにより、種々のサイズの１Ｃチップ１０に対応することができる。
【００２９】
（実施形態２）
次に、本発明の第２の実施形態について説明する。
図７は、本発明の第２の実施形態を示したものである。
図７において、図１から図６に記載の構成要素と同一部分については同一符号を付し、その説明を省略する。
この実施形態と上記第１の実施形態とは基本的構成は同一であり、ここでは異なる点についてのみ説明する。
【００３０】
本実施形態における巻き始め線部６と巻き終わり線部７とは、ハの字状に配されている。すなわち、巻き始め線部６と巻き終わり線部７とが互いに傾斜している。
これにより、上記第１の実施形態と同様の効果を奏することができるだけでなく、コイルアンテナ２の構成を簡易にすることができる。
【００３１】
（実施形態３）
次に、本発明の第３の実施形態について説明する。
図８は、本発明の第３の実施形態を示したものである。
図８において、図１から図７に記載の構成要素と同一部分については同一符号を付し、その説明を省略する。
この実施形態と上記第１の実施形態とは基本的構成は同一であり、ここでは異なる点についてのみ説明する。
【００３２】
本実施形態における巻き始め線部６と巻き終わり線部７とは、中心点Ｃを挟んで対向して、さらに巻回部３の内方において互いに交差してＸ状に配されている。巻き始め線部６と巻き終わり線部７との交点Ｒは、巻回部３の内方に配されている。なお、仮想軸線Ｌは、中心点Ｃと交点Ｒを通る直線となる。
【００３３】
以上より、巻き始め線部６と巻き終わり線部７との間隔寸法を交点Ｒにおいてゼロにすることができ、交点Ｒ近傍の巻き始め線部６と巻き終わり線部７との間隔寸法を極小にすることができる。そのため、極小サイズのＩＣチップ１０を容易に接続することができる。
【００３４】
なお、本実施形態においては、交点Ｒを巻回部３の内方に設けて、巻き始め線部６と巻き終わり線部７とをＸ状に配するとしたが、これに限ることはなく、それら形状は適宜変更可能である。例えば、図９に示すように、交点Ｒを巻回部３の内周縁部に設定し、巻き始め線部６と巻き終わり線部７とをＶ字状に配してもよい。これにより、交点Ｒ近傍の巻き始め線部６と巻き終わり線部７との間隔寸法を極小にすることができるだけでなく、先端固定部１５を一点にすることができ、コイルアンテナ２の構成を簡易にすることができる。
また、巻き始め線部６及び巻き終わり線部７を中心点Ｃを挟んで対向配置するとしたが、必ずしも対向配置する必要はなく、さらに、巻き始め線部６及び巻き終わり線部７を巻回部３内に偏心させて配してもよい。ただし、巻き始め線部６及び巻き終わり線部７を中心点Ｃを挟んで左右対称に対向配置する方がＩＣチップ１０の安定的保持の観点から好ましいのは言うまでもない。
【００３５】
また、巻き始め線部６及び巻き終わり線部７の先端を固定するものとしたが、これに代えて、図１０に示すように、それら先端を固定せずにフリーとしてもよい。これにより、コイルアンテナ２の構成をさらに簡易にすることができる。また、巻き始め線部６及び巻き終わり線部７のいずれか一方の先端を固定してもよい。さらに、図１１に示すように、基端部及び先端部を固定せずにフリーとしてもよい。
なお、上記第１から第３の実施形態においては、巻回部３を熱溶着させて、巻き始め線部６と巻き終わり線部７との先端部及び基端部を接着剤で固定するとしたが、これに代えて、巻回部３、先端部及び基端部を一緒に熱溶着してもよい。
また、本発明の技術範囲は上記の実施形態に限定されるものではなく、本発明の趣旨を逸脱しない範囲において、種々の変更を加えることが可能である。
【図面の簡単な説明】
【００３６】
【図１】本発明に係るコイルタグの第１の実施形態を示す平面図である。
【図２】図１のコイルタグの製造方法を示す図であって、導線を巻回用治具に引っ掛けた様子を示す説明図である。
【図３】図１のコイルタグの製造方法を示す説明図であって、巻回用治具を介して導線を巻回させた様子を示す説明図である。
【図４】図１のコイルタグの製造方法を示す説明図であって、巻き始め線部及び巻き終わり線部の先端をカットする様子を示す説明図である。
【図５】図１のコイルタグの製造方法を示す説明図であって、巻き始め線部及び巻き終わり線部の先端をカットしたコイルアンテナの様子を示す説明図である。
【図６】図１のコイルタグの製造方法を示す説明図であって、巻き始め線部及び巻き終わり線部にＩＣチップを接続した様子を示す説明図である。
【図７】本発明に係るコイルタグの第２の実施形態の要部を示す平面図である。
【図８】本発明に係るコイルタグの第３の実施形態の要部を示す平面図である。
【図９】図８のコイルタグの変形例を示す平面図である。
【図１０】図１のコイルアンテナの変形例を示す平面図である。
【図１１】図１のコイルアンテナの他の変形例を示す平面図である。
【図１２】従来のコイルタグを示す平面図である。
【符号の説明】
【００３７】
１    コイルタグ
２    コイルアンテナ
３    巻回部
４    導線
６    巻き始め線部
７    巻き終わり線部
１０  ＩＣチップ
Ｋ    基端
Ｌ    仮想軸線
Ｓ    先端
【図１】
2007274382.tif 000003
【図２】
2007274382.tif 000004
【図３】
2007274382.tif 000005
【図４】
2007274382.tif 000006
【図５】
2007274382.tif 000007
【図６】
2007274382.tif 000008
【図７】
2007274382.tif 000009
【図８】
2007274382.tif 000010
【図９】
2007274382.tif 000011
【図１０】
2007274382.tif 000012
【図１１】
2007274382.tif 000013
【図１２】
2007274382.tif 000014